(57)【特許請求の範囲】
【請求項１】
遊技機の遊技盤面に配置される役物であって、
駆動手段と、
第一の部材と、
第二の部材と、
前記第二の部材を回転させる第一の回転手段と、
前記駆動手段の回転力を受けて前記第一の部材を回転させると共に、前記第一の回転手段に対して回転力を伝達させる第一の動力伝達手段と、
前記第一の部材の回転を規制する第一の規制手段と、を備え、
前記第一の動力伝達手段は、前記第一の規制手段により前記第一の部材の回転が規制された場合に、前記第一の回転手段に対して前記回転力を伝達し、
前記第一の回転手段は、第一のギアを有し、
前記第一の動力伝達手段は、
前記第一のギアと噛み合うと共に、前記駆動手段の回転力を受けて回転する第二のギアと、
前記駆動手段から前記第一の部材への動力伝達経路における前記第二のギアと前記第一の部材との間に配設されたトルクリミッターと、を有することを特徴とする遊技機の役物。
【請求項２】
前記第二の部材は、前記第一の部材に回転可能に取り付けられていることを特徴とする請求項１に記載の遊技機の役物。
【請求項３】
前記第一の部材を回転可能に支持するベース部材、をさらに備え、
前記第一の規制手段は、
前記ベース部材に設けられた孔部と、
前記第一の部材に固定され、前記孔部に挿通される可動軸と、を有し、
前記可動軸が前記孔部の一端又は他端に接触することによって、前記第一の部材の回転を規制することを特徴とする請求項１又は請求項２に記載の遊技機の役物。
【請求項４】
第三の部材と、
第四の部材と、
前記第四の部材を回転させる第二の回転手段と、
前記駆動手段の回転力を受けて前記第三の部材を回転させると共に、前記第二の回転手段に対して回転力を伝達させる第二の動力伝達手段と、
前記第三の部材の回転を規制する第二の規制手段と、をさらに備え、
前記第二の動力伝達手段は、前記第二の規制手段により前記第三の部材の回転が規制された場合に、前記第二の回転手段に対して前記回転力を伝達することを特徴とする請求項１から請求項３のうち何れか一項に記載の遊技機の役物。
【請求項５】
請求項１から請求項４のうち何れか一項に記載の役物と、
遊技盤面と、
前記遊技盤面の中央部に配置された演出図柄表示手段と、を備え、
前記役物は、前記遊技盤面であって前記演出図柄表示手段の周囲に配置されていることを特徴とする遊技機。
【発明の詳細な説明】
【技術分野】
【０００１】
本発明は、遊技機の遊技盤面に配置される役物と、遊技機に関する。
【背景技術】
【０００２】
一般的なパチンコ機では、始動入賞口に遊技球が入賞したことを契機として、特賞状態（大当たり）を生起させるか否かを決定する大当たり抽選が行われる。そして、大当たり抽選の結果は、液晶ディスプレイなどの演出図柄表示手段で停止表示される演出図柄の組み合わせによって遊技者に報知される。ここで、一般的なパチンコ機では、演出図柄表示手段で演出図柄を停止表示して大当たり抽選の結果を報知することに先立って、予告演出を行うことによって、大当たりが生起されることへの遊技者の期待感を煽ることを可能としている。これにより、遊技者の興趣の向上を図っている。
【０００３】
また、このような予告演出や、演出図柄表示手段による演出の補助として、演出図柄表示手段の近傍に可動役物を配置することが知られている。例えば、特許文献１には、複数の可動部材と、複数の可動部材同士を連結する複数の関節とを有し、これら複数の関節を各々曲げて複数の可動部材を動かす可動役物が開示されている。
【先行技術文献】
【特許文献】
【０００４】
【特許文献１】特開２００７−２５２７３４号公報
【発明の概要】
【発明が解決しようとする課題】
【０００５】
ところで、この特許文献１に開示された可動役物は、単一の駆動源で複数の関節を同時に曲げて複数の部材を同時に動かすことはできるものの、複数の関節を異なるタイミングで別々に曲げることはできなかった。従来の技術では、複数の関節を異なるタイミングで別々に曲げるためには、関節毎にそれぞれ駆動源を設ける必要があった。駆動源が増えると、その分だけ部品数が多くなり、役物の構成が複雑になる。
そこで、本発明はこのような事情に鑑みてなされたものであって、単一の駆動源で複数の部材を異なるタイミングで別々に動かすことができ、複数の形態を構成できるようにした遊技機の役物及び遊技機の提供を目的とする。
【課題を解決するための手段】
【０００６】
上記目的を達成するために、第一の発明に係る遊技機の役物は、遊技機の遊技盤面に配置される役物であって、駆動手段と、第一の部材と、第二の部材と、前記第二の部材を回転させる第一の回転手段と、前記駆動手段の回転力を受けて前記第一の部材を回転させると共に、前記第一の回転手段に対して回転力を伝達させる第一の動力伝達手段と、前記第一の部材の回転を規制する第一の規制手段と、を備え、前記第一の動力伝達手段は、前記第一の規制手段により前記第一の部材の回転が規制された場合に、前記第一の回転手段に対して前記回転力を伝達することを特徴とする。
【０００７】
第一の発明に係る役物では、第一の規制手段により第一の部材の回転が規制される前までは、第一の部材が回転する。また、第一の規制手段により第一の部材の回転が規制された後は、第二の部材が回転する。
したがって、第一の発明に係る役物によれば、単一の駆動源により、第一の部材と第二の部材をそれぞれ異なるタイミングで動かすことができる。これにより、第一の部材が回転を開始する前の段階（即ち、第一段階）と、第一の部材が回転を開始してからその回転が規制されるまでの段階（即ち、第二段階）と、第二の部材の回転が規制された状態で第二の部材の回転が開始されて以降の段階（即ち、第三段階）で、それぞれ異なる形態を構成することができる。
【０００８】
ここで、駆動手段としては、例えば、後述するモータ８１０と、モータギア８１２が該当する。また、第一の部材としては、例えば、後述する第一アーム部５１１が該当する。また、第二の部材としては、例えば、後述する第二アーム部５２１が該当する。第一の動力伝達手段としては、例えば、後述する可変動力伝達部８２２が該当する。また、第一の回転手段としては、例えば、後述する固定ギア８２３が該当する。さらに、第一の規制手段としては、例えば、後述する規制孔４１４及び上側第二回転軸５１５が該当する。
【０００９】
また、第二の発明に係る遊技機の役物は、第一の発明に係る遊技機の役物において、前記第二の部材は、前記第一の部材に回転可能に取り付けられていることを特徴とする。
第二の発明に係る役物によれば、第二段階では、第一の部材と第二の部材を一体にして、これらを回転させることができる。また、第三段階では、第二の部材を第一の部材に対して回転移動させることができる。
【００１０】
また、第三の発明に係る遊技機の役物は、第一又は第二の発明に係る遊技機の役物において、前記第一の回転手段は、第一のギアを有し、前記第一の動力伝達手段は、前記第一のギアと噛み合うと共に、前記駆動手段の回転力を受けて回転する第二のギアと、前記駆動手段から前記第一の部材への動力伝達経路における前記第二のギアと前記第一の部材との間に配設されたトルクリミッターと、を有することを特徴とする。  第三の発明に係る役物によれば、駆動手段の回転力を受けて第二のギアを回転させることができる。また、第二のギアから第一の部材に伝達される回転力が過負荷（即ち、所定の大きさ以上の負荷）の時は、第二のギアから第一のギアに回転力を伝達することができる。
ここで、第一のギアとしては、例えば、後述する固定ギア８２３が該当する。また、第二のギアとしては、例えば、後述するギア８２８が該当する。さらに、トルクリミッターとしては、例えば、後述する外方部材８２５及び内方部材８２６が該当する。
【００１１】
また、第四の発明に係る遊技機の役物は、第一から第三のうち何れか一の発明に係る遊技機の役物おいて、前記第一の部材を回転可能に支持するベース部材、をさらに備え、前記第一の規制手段は、前記ベース部材に設けられた孔部と、前記第一の部材に固定され、前記孔部に挿通される可動軸と、を有し、前記可動軸が前記孔部の一端又は他端に接触することによって、前記第一の部材の回転を規制することを特徴とする。  第四の発明に係る役物によれば、第二段階で、第一の部材をベース部材に対して回転移動させることができる。また、第三段階では、可動軸を孔部の他端に接触させて第一の部材が移動しないようにすることができる。
ここで、孔部としては、例えば、後述する規制孔４１４が該当する。また、可動軸としては、例えば、後述する上側第二回転軸５１５が該当する。
【００１２】
また、第五の発明に係る遊技機の役物は、第一から第四のうち何れか一の発明に係る遊技機の役物において、第三の部材と、第四の部材と、前記第四の部材を回転させる第二の回転手段と、前記駆動手段の回転力を受けて前記第三の部材を回転させると共に、前記第二の回転手段に対して回転力を伝達させる第二の動力伝達手段と、前記第三の部材の回転を規制する第二の規制手段と、をさらに備え、前記第二の動力伝達手段は、前記第二の規制手段により前記第三の部材の回転が規制された場合に、前記第二の回転手段に対して前記回転力を伝達することを特徴とする。  第五の発明に係る役物では、第二の規制手段により第三の部材の回転が規制される前までは、第三の部材が回転する。また、第二の規制手段により第三の部材の回転が規制された後は、第四の部材が回転する。
【００１３】
したがって、第五の発明に係る役物によれば、単一の駆動源により、第三の部材と第四の部材をそれぞれ異なるタイミングで動かすことができる。これにより、第三の部材が回転を開始する前の段階（即ち、第一段階）と、第三の部材が回転を開始してからその回転が規制されるまでの段階（即ち、第二段階）と、第三の部材の回転が規制された状態で第四の部材の回転が開始されて以降の段階（即ち、第三段階）で、それぞれ異なる形態を構成することができる。
【００１４】
ここで、第三の部材としては、例えば、後述する第一アーム部６１１が該当する。また、第四の部材としては、例えば、後述する第二アーム部６２１が該当する。さらに、第二の動力伝達手段としては、例えば、可変動力伝達部８３２が該当する。また、第二の回転手段としては、例えば、後述する固定ギア８３３が該当する。さらに、さらに、第二の規制手段としては、例えば、後述する規制孔４１５及び下側第二回転軸６１５が該当する。
また、第六の発明に係る遊技機は、第一から第五のうち何れか一の発明に係る遊技機の役物と、遊技盤面と、前記遊技盤面の中央部に配置された演出図柄表示手段と、を備え、前記役物は、前記遊技盤面であって前記演出図柄表示手段の周囲に配置されていることを特徴とする。
【００１５】
第六の発明に係る遊技機では、例えば、液晶ディスプレイなどの演習図柄表示手段の周囲に、第一から第五のうち何れか一の発明に係る役物が配置され、この役物は、単一の駆動源で複数の部材を異なるタイミングで別々に動かすことができ、複数の形態を構成することができる。
したがって、第六の発明に係る遊技機によれば、演出図柄表示手段に表示される当たり予告演出の信頼度、事前予告演出の種類などに応じて、役物を変形させることができる。これにより、遊技盤面における演出をさらに多様化することができ、遊技者の興趣の向上をさらに図ることができる。
【発明の効果】
【００１６】
本発明によれば、遊技機の遊技盤面に配置される役物において、単一の駆動源で複数の部材を異なるタイミングで別々に動かすことができ、複数の形態を構成することが可能となる。
【図面の簡単な説明】
【００１７】
【図１】パチンコ機１における遊技盤面１０２の正面部、特に説明に必要な部分を模式的に示した図である。
【図２】パチンコ機１の制御系の構成を示すブロック図である。
【図３】電動役物３００の分解構成図である。
【図４】上側可動部５００の分解構成図である。
【図５】下側可動部６００の分解構成図である。
【図６】第一形態に係る電動役物の駆動部８００を示す斜視図である。
【図７】第一の中間形態に係る電動役物の駆動部８００を示す斜視図である。
【図８】第二形態に係る電動役物の駆動部８００を示す斜視図である。
【図９】可変動力伝達部８２２，８３２の分解図である。
【図１０】電動役物３００の正面図である。
【図１１】第一形態に係る電動役物３００の構成を示す図である。
【図１２】第一の中間形態に係る電動役物３００の構成を示す図である。
【図１３】第二形態に係る電動役物３００の構成を示す図である。
【図１４】変形例に係る電動役物を示す正面図である。
【発明を実施するための形態】
【００１８】
以下、本発明の実施形態を図面を参照しながら説明する。
本実施形態では、本発明に係る遊技機を、図１に示すように、演出図柄表示装置１０４で複数の演出図柄を変動表示するパチンコ機１に適用している。
（遊技盤面１０２の構成）
まず、パチンコ機１における遊技盤面１０２の構成を説明する。
図１は、パチンコ機１における遊技盤面１０２の正面部、特に説明に必要な部分を模式的に示した図である。図２は、パチンコ機１の制御系の構成を示すブロック図である。
図１に示すように、遊技盤面１０２のほぼ中央部には、演出画像を表示することが可能な演出図柄表示装置１０４が設けられている。演出図柄表示装置１０４は、複数の表示領域を有している。各表示領域では、独立して演出図柄の変動表示及び停止表示を行うことが可能となっている。そして、演出図柄表示装置１０４では、複数の表示領域で停止表示される演出図柄の組み合わせによって、当たり抽選の結果を表示する。
【００１９】
演出図柄表示装置１０４の下方には、遊技球を転動させることが可能なステージ１０８が設けられている。また、演出図柄表示装置１０４の左側には、流入した遊技球をステージ１０８に放出させるワープ入口１１２が設けられている。ステージ１０８は、正面側が開放しており、放出された遊技球を転動させた後、遊技盤面１０２に放出する。
演出図柄表示装置１０４の左側には、普通図柄始動ゲート１２２が設けられている。普通図柄始動ゲート１２２は、遊技球が通過すると、パチンコ機１内部の始動ゲートスイッチ（図示せず）の検出信号により遊技球の入賞を検知し、普通図柄による抽選の契機を与える。
【００２０】
演出図柄表示装置１０４の下方には、始動入賞装置１１１が設けられている。始動入賞装置１１１は、第一始動入賞口１１１ａと、第一始動入賞口１１１ａの下側に設けられた第二始動入賞口１１１ｂとを有している。第一始動入賞口１１１ａは、常時、遊技球が入賞可能となるように上向きに開口した入賞口（いわゆるヘソ）である。第二始動入賞口１１１ｂは、入賞確率を変更することが可能な電動役物（いわゆる電動チューリップ）である。第二始動入賞口１１１ｂは、通常時は、遊技球が入賞することができないように閉止状態であるが、普通図柄による抽選に当選した場合、所定パターンで開放状態となって遊技球が入賞可能となる。
【００２１】
始動入賞口１１１ａ，１１１ｂは、遊技球が入賞すると、パチンコ機１内部の始動入賞口スイッチ１３１ａ，１３１ｂ（図２参照）の検出信号により遊技球の入賞を検知し、当たり抽選の契機を与える。
始動入賞装置１１１の右側には、遊技状態表示装置１０７が設けられている。遊技状態表示装置１０７は、特別図柄表示部１０７ａと、普通図柄表示部１０７ｂと、特別図柄始動情報記憶数表示部１０７ｃと、普通図柄始動情報記憶数表示部１０７ｄと、を有している。
【００２２】
特別図柄表示部１０７ａは、特別図柄の変動表示及び停止表示を行うことが可能となっている。そして、特別図柄表示部１０７ａは、停止表示された特別図柄の態様によって、当たり抽選の結果を表示する。この際、特別図柄表示部１０７ａは、第一始動入賞口１１１ａへの遊技球の入賞を契機として行われた当たり抽選の結果及び第二始動入賞口１１１ｂへの遊技球の入賞を契機として行われた当たり抽選の結果を、それぞれ個別に表示する。
【００２３】
普通図柄表示部１０７ｂは、普通図柄の変動表示及び停止表示を行うことが可能となっている。そして、普通図柄表示部１０７ｂは、停止表示された普通図柄の態様によって、普通図柄による抽選の結果を表示する。
特別図柄始動情報記憶数表示部１０７ｃは、連続して特別図柄及び演出図柄の変動表示を行うことが可能な回数（いわゆる、保留数）を表示する。この際、特別図柄始動情報記憶数表示部１０７ｃは、第一始動入賞口１１１ａへの遊技球の入賞に基づく始動情報記憶数及び第二始動入賞口１１１ｂへの遊技球の入賞に基づく始動情報記憶数を、それぞれ個別に表示する。
普通図柄始動情報記憶数表示部１０７ｄは、連続して普通図柄の変動表示を行うことが可能な回数を表示する。
【００２４】
始動入賞装置１１１の下方には、大入賞口１１５が設けられている。大入賞口１１５は、通常時は閉止状態であるが、当たり抽選によって特賞状態が生起された場合に、所定パターンで開放状態となり、遊技球が入賞可能となる。大入賞口１１５の開放動作は、所定の時間（例えば、３０秒）経過するか、所定数（例えば１０個等）の遊技球が入賞するまで（１ラウンド）継続する。また、大入賞口１１５の開放動作は、特賞状態の種類に応じて設定されたラウンド数だけ繰り返し行われる。そして、大入賞口１１５に遊技球が入賞すると、パチンコ機１内部の大入賞口スイッチ１３２（図２参照）の検出信号により入賞した遊技球数が検出され、入賞した遊技球数に応じて賞球を払い出す。
【００２５】
さらに、演出図柄表示装置１０４の右側上方には、電動役物３００が配設されている。電動役物３００は、遊技盤面１０２において、常時、遊技者が視認することが可能な位置に配設されている。なお、電動役物３００は、遊技盤面１０２における遊技球の転動に影響を与えない位置に配設されている。
電動役物３００は、複数（本実施形態では５つ）の発光部３３０を有している。そして、電動役物３００は、その形態の変化及び複数の発光部３３０における発光手段の点灯状態の組み合わせによって、遊技に関する演出を実行する。
また、大入賞口１１５の下方であって遊技盤面１０２の最下方には、いずれの入賞口にも入賞しなかった遊技球を回収するためのアウト口１１０が設けられている。
なお、遊技盤面１０２においては、各入賞口に遊技球を導くように複数の釘（図示せず）が配置されている。
【００２６】
（電動役物の構成）
次に、電動役物３００の構成について詳細に説明する。
図３は、電動役物３００の分解構成図である。図４は、上側可動部５００の分解構成図である。図５は、下側可動部６００の分解構成図である。
図３に示すように、電動役物３００は、固定部４００と、固定部４００に対して可動となるように取り付けられた上側可動部５００及び下側可動部６００と、を有している。
【００２７】
上側可動部５００は、上側第一可動部５１０と、上側第一可動部５１０に対して可動となるように取り付けられた上側第二可動部５２０と、を有している。また、下側可動部６００は、下側第一可動部６１０と、下側第一可動部６１０に対して可動となるように取り付けられた下側第二可動部６２０と、を有している。
図３に示すように、固定部４００は、ベース部材４１０と、発光部３３０ａと、を有している。
【００２８】
ベース部材４１０は、平板状に形成されている。ベース部材４１０の略中心部には、前方に向かって膨出するモータ配設部４１１が設けられている。モータ配設部４１１の正面には、上側第一可動部５１０を駆動させる際の軸となる上側第一回転軸４１２と、下側第一可動部６１０を駆動させる際の軸となる下側第一回転軸４１３と、が配設されている。また、モータ配設部４１１の正面側には、後述する下側第一中継ギア８３１ａの回転孔８３１ｃに挿通されるギア回転軸４１６が配設されている。ベース部材４１０におけるモータ配設部４１１の上側には、上側第一可動部５１０の駆動を規制する規制孔４１４が設けられている。また、ベース部材４１０におけるモータ配設部４１１の下側には、下側第一可動部６１０の駆動を規制する規制孔４１５が設けられている。規制孔４１４，４１５は、ベース部材４１０を貫通する貫通孔として、所定の長さで形成されている。
【００２９】
発光部３３０ａは、モータ配設部４１１の正面側に固定されている。発光部３３０ａには、ＬＥＤ等の発光手段が配設されており、任意の色を発光することが可能となっている。
図３及び図４に示すように、上側第一可動部５１０は、第一アーム部５１１と、発光部３３０ｂと、を有している。
【００３０】
第一アーム部５１１は、所定の長さで形成されている。第一アーム部５１１は、正面側部材５１２及び背面側部材５１３によって、箱状に形成されている。第一アーム部５１１の長手方向の一方側の端部には、ベース部材４１０に配設された上側回転軸４１２が挿通される回転軸挿通孔５１４が設けられている。また、第一アーム部５１１の長手方向の他方側の端部には、上側第二可動部５２０を駆動させる際の軸となる上側第二回転軸５１５が配設されている。正面側部材５１２における上側第二回転軸５１５の周囲には、後述する固定柱５２２が挿通される挿通孔５１８が設けられている。正面側部材５１２の内面には、後述する可変動力伝達部８２２が固定される固定溝（図示せず）が設けられている。また、背面側部材５１３の内面には、可変動力伝達部８２２の回転軸８２７が嵌合する軸受穴５１７が設けられている。
【００３１】
発光部３３０ｂは、第一アーム部５１１の正面側部材５１２の長手方向の他方側の端部の正面側において固定されている。発光部３３０ｂには、ＬＥＤ等の発光手段が配設されており、任意の色を発光することが可能となっている。
上側第二可動部５２０は、第二アーム部５２１と、発光部３３０ｃと、を有している。
第二アーム部５２１は、所定の長さで形成されている。第二アーム部５２１の長手方向の一方側の端部には、該第二アーム部５２１に固定ギア８２３を固定するための一対の固定柱５２２が設けられている。
【００３２】
発光部３３０ｃは、第二アーム部５２１の長手方向の他方側の端部の正面側において固定されている。発光部３３０ｃには、ＬＥＤ等の発光手段が配設されており、任意の色を発光することが可能となっている。
図３及び図５に示すように、下側第一可動部６１０は、第一アーム部６１１と、発光部３３０ｄと、を有している。
【００３３】
第一アーム部６１１は、所定の長さで形成されている。第一アーム部６１１は、正面側部材６１２及び背面側部材６１３によって、箱状に形成されている。第一アーム部６１１の長手方向の一方側の端部には、ベース部材４１０に配設された下側回転軸４１３が挿通される回転軸挿通孔６１４が設けられている。また、第一アーム部６１１の長手方向の他方側の端部には、下側第二可動部６２０を駆動させる際の軸となる下側第二回転軸６１５が配設されている。正面側部材６１２における下側第二回転軸６１５の周囲には、後述する固定柱６２２が挿通される挿通孔６１８が設けられている。正面側部材６１２の内面には、後述する可変動力伝達部８３２が固定される固定溝（図示せず）が設けられている。また、背面側部材６１３の内面には、可変動力伝達部８３２の回転軸８３７が嵌合する軸受穴６１７が設けられている。
【００３４】
発光部３３０ｄは、第一アーム部６１１の正面側部材６１２の長手方向の他方側の端部の正面側において固定されている。発光部３３０ｄには、ＬＥＤ等の発光手段が配設されており、任意の色を発光することが可能となっている。
下側第二可動部６２０は、第二アーム部６２１と、発光部３３０ｅと、を有している。
第二アーム部６２１は、所定の長さで形成されている。第二アーム部６２１の長手方向の一方側の端部には、該第二アーム部６２１に固定ギア８３３を固定するための一対の固定柱６２２が設けられている。
発光部３３０ｅは、第二アーム部６２１の長手方向の他方側の端部の正面側において固定されている。発光部３３０ｅには、ＬＥＤ等の発光手段が配設されており、任意の色を発光することが可能となっている。
【００３５】
そして、電動役物３００では、固定部４００のベース部材４１０に配設された上側第一回転軸４１２が、上側第一可動部５１０の回転軸挿通孔５１４に挿通される。これによって、上側第一可動部５１０（上側可動部５００）は、固定部４００に対して回転（駆動）することが可能となっている。また、上側第一可動部５１０に配設された上側第二回転軸５１５が、固定部４００のベース部材４１０に設けられた規制孔４１４に挿通される。これにより、固定部４００に対する上側第一可動部５１０の回転は、上側第二回転軸５１５が規制孔４１４の一端面４１４ａに接触した状態と、上側第二回転軸５１５が規制孔４１４の他端面４１４ｂに接触した状態との間に規制される。
【００３６】
また、固定ギア８２３が、一対の固定柱５２２によって、上側第二可動部５２０に固定される。そして、上側第一可動部５１０に配設された上側第二回転軸５１５が、上側第二可動部５２０に固定された固定ギア８２３の回転孔８２３ａに挿通される。これによって、上側第二可動部５２０は、上側第一可動部５１０に対して回転（駆動）することが可能となっている。この際、一対の固定柱５２２のそれぞれは、上側第一可動部５１０に設けられた挿通孔５１８に挿通される。これにより、上側第一可動部５１０に対する上側第二可動部５２０の回転は、固定柱５２２が挿通孔５１８の一端面５１８ａに接触した状態と、固定柱５２２が挿通孔５１８の他端面５１８ｂに接触した状態との間に規制される。
【００３７】
また、電動役物３００では、固定部４００のベース部材４１０に配設された下側第一回転軸４１３が、下側第一可動部６１０の回転軸挿通孔６１４に挿通される。これによって、下側第一可動部６１０（下側可動部６００）は、固定部４００に対して回転することが可能となっている。また、下側第一可動部６１０に配設された下側第二回転軸６１５が、固定部４００のベース部材４１０に設けられた規制孔４１５に挿通される。これにより、固定部４００に対する下側第一可動部６１０の回転は、下側第二回転軸６１５が規制孔４１５の一端面４１５ａに接触した状態と、下側第二回転軸６１５が規制孔４１５の他端面４１５ｂに接触した状態との間に規制される。
【００３８】
さらに、固定ギア８３３が、一対の固定柱６２２によって、下側第二可動部６２０に固定される。そして、下側第一可動部６１０に配設された下側第二回転軸６１５が、下側第二可動部６２０に固定された固定ギア８３３の回転孔８３３ａに挿通される。これによって、下側第二可動部６２０は、下側第一可動部６１０に対して回転することが可能となっている。この際、一対の固定柱６２２のそれぞれは、下側第一可動部６１０に設けられた挿通孔６１８に挿通される。これにより、下側第一可動部６１０に対する下側第二可動部６２０の回転は、固定柱６２２が挿通孔６１８の一端面６１８ａに接触した状態と、固定柱６２２が挿通孔６１８の他端部６１８ｂに接触した状態との間に規制される。
【００３９】
次に、電動役物を駆動するための駆動部８００の構成について説明する。
図６は、第一形態に係る電動役物の駆動部８００を示す斜視図である。図７は、第一の中間形態に係る電動役物の駆動部８００を示す斜視図である。図８は、第二形態に係る電動役物の駆動部８００を示す斜視図である。図９は、可変動力伝達部８２２，８３２の分解図である。
【００４０】
図６から図８に示すように、駆動部８００は、モータ８１０と、モータ８１０の回転力（動力）を所定の動力伝達経路によって上側可動部５００に伝達する上側動力伝達部８２０と、モータ８１０の回転力を所定の動力伝達経路によって下側可動部６００に伝達する下側動力伝達部８３０と、を有している。
図３に示すように、モータ８１０は、ベース部材４１０のモータ配設部４１１内に配設されている。モータ８１０は、その駆動軸８１１をモータ配設部４１１の裏面側から正面側に貫通させた状態で配設されている。駆動軸８１１におけるベース部材４１０の正面側には、モータギア８１２が固定されている。本実施形態では、モータ８１０として、ステッピングモータが用いられている。
【００４１】
上側動力伝達部８２０は、上側中継ギア８２１と、可変動力伝達部８２２と、固定ギア８２３と、を有している。
図３に示すように、上側中継ギア８２１の軸芯部には、回転孔８２１ａが設けられている。上側中継ギア８２１は、回転孔８２１ａにベース部材４１０の上側第一回転軸４１２が挿通され、上側第一回転軸４１２に対して回転自在に配設されている。また、上側中継ギア８２１は、モータ８１０のモータギア８１２と可変動力伝達部８２２のギア８２８との間に配設され、モータギア８１２及びギア８２８のそれぞれに噛合（互いに噛み合うように嵌合）している。
【００４２】
図９に示すように、可変動力伝達部８２２は、外方部材８２５と、内方部材８２６と、回転軸８２７と、ギア８２８と、を有している。
外方部材８２５は、有底円筒状に形成されている。外方部材８２５は、樹脂、ゴム等によって形成されている。図４に示すように、外方部材８２５の底面には、回転軸８２７が挿通される回転軸挿通孔８２５ａが設けられている。また、外方部材８２５の底面の外面側には、第一アーム部５１１の固定溝に嵌合する固定凸部８２５ｂが設けられている。
【００４３】
内方部材８２６は、円柱状に形成されている。内方部材８２６は、樹脂、ゴム等によって形成されている。内方部材８２６の外径は、外方部材８２５の内径と略同一となっている。内方部材８２６の軸芯部には、回転軸８２７が挿通される回転軸挿通孔８２６ａが設けられている。また、内方部材８２６の回転軸挿通孔８２８ａの側方には、回転軸８２７に設けられた凸片８２７ａが嵌合される嵌合凹部８２６ｂが設けられている。
【００４４】
ギア８２８の軸芯部には、回転軸８２７が挿通される回転軸挿通孔８２８ａが設けられている。また、図４に示すように、ギア８２８の回転軸挿通孔８２８ａの側部には、回転軸８２７に設けられた凸片８２７ａが嵌合される嵌合凹部８２８ｂが設けられている。
回転軸８２７には、内方部材８２６の嵌合凹部８２６ｂ及びギア８２８の嵌合凹部８２８ｂのそれぞれに嵌合する凸片８２７ａが設けられている。
【００４５】
そして、可変動力伝達部８２２では、内方部材８２６が、外方部材８２５の内側に同軸状に嵌合される。この際、内方部材８２６及び外方部材８２５は、内方部材８２６の外周面（摩擦面）と外方部材８２５の内周面（摩擦面）が互いに接触した状態で、互いに嵌合される。この際、内方部材８２６の外周面と外方部材８２５の内周面との間において、所定の最大摩擦力（以下、設定最大摩擦力とする）を得るように設定されている。また、互いに嵌合された内方部材８２６及び外方部材８２５において、内方部材８２６の回転軸挿通孔８２６ａ及び外方部材８２５の回転軸挿通孔８２５ａに、回転軸８２７における凸片８２７ａの一方側が挿通される。この際、回転軸８２７の凸片８２７ａが内方部材８２６の嵌合凹部８２６ｂに嵌合される。さらに、回転軸８２７における凸片８２７ａの他方側が、ギア８２８の回転軸挿通孔８２８ａに挿通される。この際、回転軸８２７の凸片８２７ａがギア８２８の嵌合凹部８２８ｂに嵌合される。
【００４６】
これにより、可変動力伝達部８２２では、内方部材８２６と外方部材８２５との間に発生した負荷が設定最大摩擦力を超えていない場合には、外方部材８２５、内方部材８２６、回転軸８２７及びギア８２８が、一体として回転する。一方、内方部材８２６と外方部材８２５との間に発生した負荷が設定最大摩擦力を超えている場合（過負荷が発生している場合）には、外方部材８２５の内側において、該外方部材８２５に対して内方部材８２６が回転する。したがって、この場合には、内方部材８２６、回転軸８２７及びギア８２８は一体として回転するが、外方部材８２５は他の部材に対して独立した状態となる。
【００４７】
そして、可変動力伝達部８２２は、回転軸８２７の一端部が背面側部材５１３の軸受穴５１７に回転自在に嵌合された状態で、第一アーム部５１１の内側に配設される。この際、外方部材８２５の固定凸部８２５ｂが、正面側部材５１２の固定溝に嵌合した状態で配設される。これにより、可変動力伝達部８２２の外方部材８２５は、第一アーム部５１１（上側第一可動部５１０）に対して固定された状態となる。
【００４８】
また、ギア８２８は、上側中継ギア８２１と固定ギア８２３との間に配設され、上側中継ギア８２１及び固定ギア８２３のそれぞれに噛合している。
固定ギア８２３の軸芯部には、回転孔８２３ａが設けられている。また、固定ギア８２３の正面側には、第二アーム部５２１に設けられた一対の固定柱５２２が嵌合される固定穴８２３ｂが設けられている。固定ギア８２３は、回転孔８２３ａに第一アーム部５１１に配設された上側第二回転軸５１５が挿通された状態で、第一アーム部５１１の内側に配設される。この際、固定ギア８２３は、上側第二回転軸５１５に対して回転自在に配設される。また、固定ギア８２３の固定穴８２３ｂには、正面側部材５１２設けられた挿通孔５１８を介して第一アーム部５１１の内側に挿通された第二アーム部５２１の一対の固定柱５２２が嵌合される。これにより、固定ギア８２３は、第二アーム部５２１（上側第二可動部５２０）に対して固定された状態となる。
【００４９】
以上の構成により、上側動力伝達部８２０では、モータ８１０を作動して駆動軸８１１を回転させると、駆動軸８１１の回転力は、モータギア８１２及び上側中継ギア８２１を介して、可変動力伝達部８２２のギア８２８に対して伝達される。
そして、可変動力伝達部８２２のギア８２８に伝達された回転力は、内方部材８２６と外方部材８２５との間に発生した負荷が設定最大摩擦力を超えていない場合には、内方部材８２６の外周面と外方部材８２５の内周面との摩擦力によって、外方部材８２５に対して伝達される。すなわち、可変動力伝達部８２２のギア８２８に伝達された回転力は、外方部材８２５に固定された第一アーム部５１１（上側第一可動部５１０）に対して伝達される。
【００５０】
一方、内方部材８２６と外方部材８２５との間に発生した負荷が設定最大摩擦力を超えている場合には、内方部材８２６が、外方部材８２５に対して回転する。これによって、内方部材８２６から外方部材８２５（第一アーム部５１１）への回転力の伝達が停止（遮断）される。また、内方部材８２６が外方部材８２５に対して回転することによって、可変動力伝達部８２２のギア８２８に伝達された回転力は、固定ギア８２３に対して伝達される。すなわち、可変動力伝達部８２２のギア８２８に伝達された回転力は、固定ギア８２３に固定された第二アーム部５２１（上側第二可動部５２０）に対して伝達される。
【００５１】
図６から図８に示すように、下側動力伝達部８３０は、下側第一中継ギア８３１ａと、下側第二中継ギア８３１ｂと、可変動力伝達部８３２と、固定ギア８３３と、を有している。
図３に示すように、下側第一中継ギア８３１ａの軸芯部には、回転孔８３１ｃが設けられている。下側第一中継ギア８３１ａは、回転孔８３１ｃにベース部材４１０のギア回転軸４１６が挿通され、ギア回転軸４１６に対して回転自在に配設されている。また、下側第一中継ギア８３１ａは、モータ８１０のモータギア８１２と下側第二中継ギア８３１ｂとの間に配設され、モータギア８１２及び下側第二中継ギア８３１ｂのそれぞれに噛合している。
【００５２】
図３に示すように、下側第二中継ギア８３１ｂの軸芯部には、回転孔８３１ｄが設けられている。下側第二中継ギア８３１ｂは、回転孔８３１ｄにベース部材４１０の下側第一回転軸４１３が挿通され、下側第一回転軸４１３に対して回転自在に配設されている。また、下側第二中継ギア８３１ｂは、下側第一中継ギア８３１ａと可変動力伝達部８３２のギア８３８との間に配設され、下側第一中継ギア８３１ａ及びギア８３８のそれぞれに噛合している。
【００５３】
ここで、下側動力伝達部８３０では、上側動力伝達部８２０と比較して、モータ８１０のモータギア８１２からの動力伝達経路において、ギア（下側第一中継ギア８３１ａ）が１つ多く配設されている。これにより、下側動力伝達部８３０によれば、下側可動部６００を上方に向かって駆動する際に、勢い良く駆動することが可能となる。
図９に示すように、可変動力伝達部８３２は、外方部材８３５と、内方部材８３６と、回転軸８３７と、ギア８３８と、を有している。
【００５４】
外方部材８３５は、有底円筒状に形成されている。外方部材８３５は、樹脂、ゴム等によって形成されている。図５に示すように、外方部材８３５の底面には、回転軸８３７が挿通される回転軸挿通孔８３５ａが設けられている。また、外方部材８３５の底面の外面側には、第一アーム部６１１の固定溝に嵌合する固定凸部８３５ｂが設けられている。
内方部材８３６は、円柱状に形成されている。内方部材８３６は、樹脂、ゴム等によって形成されている。内方部材８３６の外径は、外方部材８３５の内径と略同一となっている。内方部材８３６の軸芯部には、回転軸８３７が挿通される回転軸挿通孔８３６ａが設けられている。また、内方部材８３６の回転軸挿通孔８３８ａの側方には、回転軸８３７に設けられた凸片８３７ａが嵌合される嵌合凹部８３６ｂが設けられている。
【００５５】
ギア８３８の軸芯部には、回転軸８３７が挿通される回転軸挿通孔８３８ａが設けられている。また、図５に示すように、ギア８３８の回転軸挿通孔８３８ａの側部には、回転軸８３７に設けられた凸片８３７ａが嵌合される嵌合凹部８３８ｂが設けられている。
回転軸８３７には、内方部材８３６の嵌合凹部８３６ｂ及びギア８３８の嵌合凹部８３８ｂのそれぞれに嵌合する凸片８３７ａが設けられている。
【００５６】
そして、可変動力伝達部８３２では、内方部材８３６が、外方部材８３５の内側に同軸状に嵌合される。この際、内方部材８３６及び外方部材８３５は、内方部材８３６の外周面（摩擦面）と外方部材８３５の内周面（摩擦面）が互いに接触した状態で、互いに嵌合される。この際、内方部材８３６の外周面と外方部材８３５の内周面との間において、所定の設定最大摩擦力を得るように設定されている。また、互いに嵌合された内方部材８３６及び外方部材８３５において、内方部材８３６の回転軸挿通孔８３６ａ及び外方部材８３５の回転軸挿通孔８３５ａに、回転軸８３７における凸片８３７ａの一方側が挿通される。この際、回転軸８３７の凸片８３７ａが内方部材８３６の嵌合凹部８３６ｂに嵌合される。さらに、回転軸８３７における凸片８３７ａの他方側が、ギア８３８の回転軸挿通孔８３８ａに挿通される。この際、回転軸８３７の凸片８３７ａがギア８３８の嵌合凹部８３８ｂに嵌合される。
【００５７】
これにより、可変動力伝達部８３２では、内方部材８３６と外方部材８３５との間に発生した負荷が設定最大摩擦力を超えていない場合には、外方部材８３５、内方部材８３６、回転軸８３７及びギア８３８が、一体として回転する。一方、内方部材８３６と外方部材８３５との間に発生した負荷が設定最大摩擦力を超えている場合（過負荷が発生している場合）には、外方部材８３５の内側において、該外方部材８３５に対して内方部材８３６が回転する。したがって、この場合には、内方部材８３６、回転軸８３７及びギア８３８は一体として回転するが、外方部材８３５は他の部材に対して独立した状態となる。
【００５８】
そして、可変動力伝達部８３２は、回転軸８３７の一端部が背面側部材６１３の軸受穴６１７に回転自在に嵌合された状態で、第一アーム部６１１の内側に配設される。この際、外方部材８３５の固定凸部８３５ｂが、正面側部材６１２の固定溝に嵌合した状態で配設される。これにより、可変動力伝達部８３２の外方部材８３５は、第一アーム部６１１（下側第一可動部６１０）に対して固定された状態となる。
【００５９】
また、ギア８３８は、下側第二中継ギア８３１ｂと固定ギア８３３との間に配設され、下側第二中継ギア８３１ｂ及び固定ギア８３３のそれぞれに噛合している。
固定ギア８３３の軸芯部には、回転孔８３３ａが設けられている。また、固定ギア８３３の正面側には、第二アーム部６２１に設けられた一対の固定柱６２２が嵌合される固定穴８３３ｂが設けられている。固定ギア８３３は、回転孔８３３ａに第一アーム部６１１に配設された下側第二回転軸６１５が挿通された状態で、第一アーム部６１１の内側に配設される。この際、固定ギア８３３は、下側第二回転軸６１５に対して回転自在に配設される。また、固定ギア８３３の固定穴８３３ｂには、正面側部材６１２設けられた挿通孔６１８を介して第一アーム部６１１の内側に挿通された第二アーム部６２１の一対の固定柱６２２が嵌合される。これにより、固定ギア８３３は、第二アーム部６２１（下側第二可動部６２０）に対して固定された状態となる。
【００６０】
以上の構成により、下側動力伝達部８３０では、モータ８１０を作動して駆動軸８１１を回転させると、駆動軸８１１の回転力は、モータギア８１２、下側第一中継ギア８３１ａ及び下側第二中継ギア８３１ｂを介して、可変動力伝達部８３２のギア８３８に対して伝達される。
そして、可変動力伝達部８３２のギア８３８に伝達された回転力は、内方部材８３６と外方部材８３５との間に発生した負荷が設定最大摩擦力を超えていない場合には、内方部材８３６の外周面と外方部材８３５の内周面との摩擦力によって、外方部材８３５に対して伝達される。すなわち、可変動力伝達部８３２のギア８３８に伝達された回転力は、外方部材８３５に固定された第一アーム部６１１（下側第一可動部６１０）に対して伝達される。
【００６１】
一方、内方部材８３６と外方部材８３５との間に発生した負荷が設定最大摩擦力を超えている場合には、内方部材８３６が、外方部材８３５に対して回転する。これによって、内方部材８３６から外方部材８３５（第一アーム部６１１）への回転力の伝達が停止（遮断）される。また、内方部材８３６が外方部材８３５に対して回転することによって、可変動力伝達部８３２のギア８３８に伝達された回転力は、固定ギア８３３に対して伝達される。すなわち、可変動力伝達部８３２のギア８３８に伝達された回転力は、固定ギア８３３に固定された第二アーム部６２１（下側第二可動部６２０）に対して伝達される。
【００６２】
次に、電動役物３００が構成する形態について説明する。
図１０は、電動役物３００の正面図である。なお、図１０（ａ）は、第一形態に係る電動役物３００を示し、図１０（ｂ）は、第二形態に係る電動役物３００を示す。図１１は、第一形態に係る電動役物３００の構成を示す図である。なお、図１１（ａ）は、電動役物３００の正面図、図１１（ｂ）は、電動役物３００の側面図、図１１（ｃ）は、電動役物３００の裏面図である。図１２は、第一の中間形態に係る電動役物３００の構成を示す図である。なお、図１２（ａ）は、電動役物３００の正面図、図１２（ｂ）は、電動役物３００の側面図、図１２（ｃ）は、電動役物３００の裏面図である。図１３は、第二形態に係る電動役物３００の構成を示す図である。なお、図１３（ａ）は、電動役物３００の正面図、図１３（ｂ）は、電動役物３００の側面図、図１３（ｃ）は、電動役物３００の裏面図である。
【００６３】
上述したように、上側可動部３１０及び下側可動部３２０のそれぞれは、複数の発光部３３０（本実施形態では２こ）を有している。また、固定部３０５は、１つの発光部３３０ａを有している。すなわち、電動役物３００は、５つの発光部３３０を有している。
そして、電動役物３００では、固定部３０５の発光部３３０ａを中心として、発光部３３０ａから上側に向かって連続するように上側可動部３１０の発光部３３０ｂ，３３０ｃが配設され、発光部３３０ａから下側に向かって連続するように下側可動部３２０の発光部３３０ｄ，３３０ｅが配設されている。
【００６４】
ここで、各発光部３３０は、所定の第一のモチーフで構成されている。本実施形態では、各発光部３３０は、平面視でハート形のモチーフで構成されている。また、５つの発光部３３０の大きさは、発光部３３０ａが「大」、発光部３３０ｂ，３３０ｄが「中」、発光部３３０ｃ，３３０ｅが「小」となるように形成されている。
そして、電動役物３００は、上側可動部３１０及び下側可動部３２０のそれぞれを駆動させることによって、形態を変化させることが可能となっている。電動役物３００は、上側可動部３１０及び下側可動部３２０のそれぞれを駆動させることによって、第一形態（図１０（ａ）及び図１１参照）、中間形態（図１２参照）及び第二形態（図１０（ｂ）及び図１３参照）を構成することが可能となっている。
【００６５】
図１０（ａ）及び図１１に示すように、第一形態は、５つの発光部３００が略直線状に配置された形態である。そして、第一形態は、各発光部３３０の第一のモチーフ（ハート形のモチーフ）が個別に表示される形態となっている。本実施形態では、第一形態は、各発光部３３０の第一のモチーフが個別に表示され、全体で５連のハートのモチーフを表示する。
【００６６】
図１２に示すように、中間形態（第一の中間形態及び第二の中間形態）は、第一形態と第二形態との間の変形過程の形態であり、依然、各発光部３３０の第一のモチーフが個別に表示される形態である。
図１０（ｂ）及び図１３に示すように、第二形態は、５つの発光部３３０が一体に集まった状態で配置された形態である。第二形態は、複数の発光部３３０の第一のモチーフが組み合わされることによって、第一のモチーフとは異なる所定の第二のモチーフを構成する形態となっている。本実施形態では、第二形態は、全ての発光部３３０の第一のモチーフが一体に組み合わされることによって、桜花の形のモチーフを構成する形態となっている。
【００６７】
電動役物３００は、固定部３０５を中心として、上側可動部３１０及び下側可動部３２０を駆動させることによって、その形態を第一形態、中間形態、第二形態に変化させる。そして、電動役物３００は、５連のハートのモチーフを表示する第一形態から、上側可動部３１０の発光部３３０ｃと下側可動部３２０の発光部３３０ｅとを互いに接触させるように上側可動部３１０及び下側可動部３２０を駆動することによって、中間形態を介して、桜花のモチーフを表示する第二形態に変形する。また、電動役物３００は、桜花のモチーフを表示する第二形態から、上側可動部３１０の発光部３３０ｃと下側可動部３２０の発光部３３０ｅとを互いに離すように上側可動部３１０及び下側可動部３２０を駆動することによって、中間形態を介して、５連のハートのモチーフを表示する第一形態に変形する。
【００６８】
次に、電動役物３００が形態を変化させる際の作用について説明する。
図６及び図１１に示すように、第一形態の電動役物３００（第一段階）では、上側可動部５００が最も上方に駆動されるとともに、下側可動部６００が最も下方に駆動された状態となっている。具体的には、上側可動部５００では、上側第一可動部５１０の上側第二回転軸５１５が、ベース部材４１０の規制孔４１４の一端面４１４ａに接触した状態となっている。また、上側可動部５００では、上側第二可動部５２０の固定柱５２２が、上側第一可動部５１０の挿通孔５１８の一端面５１８ａに接触した状態となっている。また、下側可動部６００では、下側第一可動部６１０の下側第二回転軸６１５が、ベース部材４１０の規制孔４１５の一端面４１５ａに接触した状態となっている。また、下側可動部６００では、下側第二可動部６２０の固定柱６２２が、下側第一可動部６１０の挿通孔６１８の一端面６１８ａに接触した状態となっている。
【００６９】
そして、第一形態の電動役物３００において、モータ８１０を作動して、駆動軸８１１を第一の回転方向に回転させると（第二段階）、駆動軸８１１の回転力は、モータギア８１２及び上側中継ギア８２１を介して、可変動力伝達部８２２のギア８２８に対して伝達される。この際、可変動力伝達部８２２では、内方部材８２６と外方部材８２５との間に発生した負荷が設定最大摩擦力を超えていない状態であるため、内方部材８２６及び外方部材８２５が一体となって回転される。したがって、上側第一可動部５１０及び上側第二可動部５２０は、一体となった状態で、ベース部材４１０の上側第一回転軸４１２を回転軸として下方に向かって回転される。また、駆動軸８１１の回転力は、モータギア８１２、下側第一中継ギア８３１ａ及び下側第二中継ギア８３１ｂを介して、可変動力伝達部８３２のギア８３８に対して伝達される。この際、可変動力伝達部８３２では、内方部材８３６と外方部材８３５との間に発生した負荷が設定最大摩擦力を超えていない状態であるため、内方部材８３６及び外方部材８３５が一体となって回転される。したがって、下側第一可動部６１０及び下側第二可動部６２０は、一体となった状態で、ベース部材４１０の下側第一回転軸４１３を回転軸として上方に向かって回転される。
【００７０】
そして、モータ８１０の駆動軸８１１を第一の回転方向にさらに回転させると、第一の中間形態が構成される。図７及び図１２に示すように、第一の中間形態の電動役物３００では、上側可動部５００において、上側第一可動部５１０の上側第二回転軸５１５が、ベース部材４１０の規制孔４１４の他端面４１４ｂに接触した状態となっている。なお、上側可動部５００では、上側第二可動部５２０の固定柱５２２は、依然として、上側第一可動部５１０の挿通孔５１８の一端面５１８ａに接触した状態となっている。また、下側可動部６００において、下側第一可動部６１０の下側第二回転軸６１５が、ベース部材４１０の規制孔４１５の他端面４１５ｂに接触した状態となっている。なお、下側可動部６００では、下側第二可動部６２０の固定柱６２２は、依然として、下側第一可動部６１０の挿通孔６１８の一端面６１８ａに接触した状態となっている。
【００７１】
そして、第一の中間形態の電動役物３００において、モータ８１０の駆動軸８１１を第一の回転方向にさらに回転させると（第三段階）、上側第一可動部５１０の上側第二回転軸５１５がベース部材４１０の規制孔４１４の他端面４１４ｂに接触していることによって、上側第一可動部５１０の動力の伝達において過負荷が発生する。具体的には、可変動力伝達部８２２では、内方部材８２６と外方部材８２５との間に発生した負荷が設定最大摩擦力を超えた状態（以下、過負荷状態とする）となる。そして、内方部材８２６と外方部材８２５との間に過負荷状態が発生すると、内方部材８２６が、外方部材８２５に対して回転する。これによって、内方部材８２６から外方部材８２５への回転力の伝達が停止され、上側第一可動部５１０の回転が停止される。また、内方部材８２６が外方部材８２５に対して回転することによって、可変動力伝達部８２２のギア８２８に伝達された回転力は、固定ギア８２３に対して伝達される。したがって、上側第二可動部５２０は、上側第一可動部５１０の上側第二回転軸５１５を回転軸として下方に向かって回転される。
【００７２】
同様に、下側第一可動部６１０の上側第二回転軸６１５がベース部材４１０の規制孔４１５の他端面４１５ｂに接触していることによって、下側第一可動部６１０の動力の伝達において過負荷が発生する。具体的には、可変動力伝達部８３２では、内方部材８３６と外方部材８３５との間に過負荷状態が発生する。そして、内方部材８３６と外方部材８３５との間に過負荷状態が発生すると、内方部材８３６が、外方部材８３５に対して回転する。これによって、内方部材８３６から外方部材８３５への回転力の伝達が停止され、下側第一可動部６１０の回転が停止される。また、内方部材８３６が外方部材８３５に対して回転することによって、可変動力伝達部８３２のギア８３８に伝達された回転力は、固定ギア８３３に対して伝達される。したがって、下側第二可動部６２０は、下側第一可動部６１０の下側第二回転軸６１５を回転軸として上方に向かって回転される。
【００７３】
そして、モータ８１０の駆動軸８１１を第一の回転方向にさらに回転させると、第二形態が構成される。図８及び図１３に示すように、第二形態の電動役物３００では、上側可動部５００が最も下方に駆動されるとともに、下側可動部６００が最も上方に駆動された状態となっている。具体的には、上側可動部５００では、上側第一可動部５１０の上側第二回転軸５１５が、ベース部材４１０の規制孔４１４の他端面４１４ｂに接触した状態となっている。また、上側可動部５００では、上側第二可動部５２０の固定柱５２２が、上側第一可動部５１０の挿通孔５１８の他端面５１８ｂに接触した状態となっている。また、下側可動部６００では、下側第一可動部６１０の下側第二回転軸６１５が、ベース部材４１０の規制孔４１５の他端面４１５ｂに接触した状態となっている。また、下側可動部６００では、下側第二可動部６２０の固定柱６２２が、下側第一可動部６１０の挿通孔６１８の他端面６１８ｂに接触した状態となっている。
【００７４】
一方、第二形態の電動役物３００において、モータ８１０を作動して、駆動軸８１１を第二の回転方向に回転させると、駆動軸８１１の回転力は、モータギア８１２及び上側中継ギア８２１を介して、可変動力伝達部８２２のギア８２８に対して伝達される。この際、可変動力伝達部８２２では、内方部材８２６と外方部材８２５との間に過負荷状態が発生していないため、内方部材８２６及び外方部材８２５が一体となって回転される。したがって、上側第一可動部５１０及び上側第二可動部５２０は、一体となった状態で、ベース部材４１０の上側第一回転軸４１２を回転軸として上方に向かって回転される。また、駆動軸８１１の回転力は、モータギア８１２、下側第一中継ギア８３１ａ及び下側第二中継ギア８３１ｂを介して、可変動力伝達部８３２のギア８３８に対して伝達される。この際、可変動力伝達部８３２では、内方部材８３６と外方部材８３５との間に過負荷状態が発生していないため、内方部材８３６及び外方部材８３５が一体となって回転される。したがって、下側第一可動部６１０及び下側第二可動部６２０は、一体となった状態で、ベース部材４１０の下側第一回転軸４１３を回転軸として下方に向かって回転される。
【００７５】
そして、モータ８１０の駆動軸８１１を第二の回転方向にさらに回転させると、第二の中間形態（図示せず）が構成される。第二の中間形態の電動役物３００では、上側可動部５００において、上側第一可動部５１０の上側第二回転軸５１５が、ベース部材４１０の規制孔４１４の一端面４１４ａに接触した状態となっている。なお、上側可動部５００では、上側第二可動部５２０の固定柱５２２は、依然として、上側第一可動部５１０の挿通孔５１８の他端面５１８ｂに接触した状態となっている。また、下側可動部６００において、下側第一可動部６１０の下側第二回転軸６１５が、ベース部材４１０の規制孔４１５の一端面４１５ａに接触した状態となっている。なお、下側可動部６００では、下側第二可動部６２０の固定柱６２２は、依然として、下側第一可動部６１０の挿通孔６１８の他端面６１８ｂに接触した状態となっている。
【００７６】
そして、第二の中間形態の電動役物３００において、モータ８１０の駆動軸８１１を第二の回転方向にさらに回転させると、上側第一可動部５１０の上側第二回転軸５１５がベース部材４１０の規制孔４１４の一端面４１４ａに接触していることによって、上側第一可動部５１０の動力の伝達において過負荷が発生する。具体的には、可変動力伝達部８２２において、内方部材８２６と外方部材８２５との間に過負荷状態が発生し、内方部材８２６が、外方部材８２５に対して回転する。これによって、内方部材８２６から外方部材８２５への回転力の伝達が停止され、上側第一可動部５１０の回転が停止される。また、内方部材８２６が外方部材８２５に対して回転することによって、可変動力伝達部８２２のギア８２８に伝達された回転力は、固定ギア８２３に対して伝達される。したがって、上側第二可動部５２０は、上側第一可動部５１０の上側第二回転軸５１５を回転軸として上方に向かって回転される。
【００７７】
同様に、下側第一可動部６１０の上側第二回転軸６１５がベース部材４１０の規制孔４１５の一端面４１５ａに接触していることによって、下側第一可動部６１０の動力の伝達において過負荷が発生する。具体的には、可変動力伝達部８３２において、内方部材８３６と外方部材８３５との間に過負荷状態が発生し、内方部材８３６が、外方部材８３５に対して回転する。これによって、内方部材８３６から外方部材８３５への回転力の伝達が停止され、下側第一可動部６１０の回転が停止される。また、内方部材８３６が外方部材８３５に対して回転することによって、可変動力伝達部８３２のギア８３８に伝達された回転力は、固定ギア８３３に対して伝達される。したがって、下側第二可動部６２０は、下側第一可動部６１０の下側第二回転軸６１５を回転軸として下方に向かって回転される。
【００７８】
そして、モータ８１０の駆動軸８１１を第二の回転方向にさらに回転させると、第一形態が構成される。
（制御系の構成）
次に、パチンコ機１における制御系の構成を説明する。
図２に示すように、パチンコ機１は、第一始動入賞口スイッチ１３１ａと、第二始動入賞口スイッチ１３１ｂと、大入賞口スイッチ１３２と、各種入賞口スイッチ１３３とを備えている。
【００７９】
第一始動入賞口スイッチ１３１ａは、第一始動入賞口１１１ａへの遊技球の入賞を検出し、検出信号を主制御装置２１０に出力する。第二始動入賞口スイッチ１３１ｂは、第二始動入賞口１１１ｂへの遊技球の入賞を検出し、検出信号を主制御装置２１０に出力する。大入賞口スイッチ１３２は、大入賞口１１５への遊技球の入賞を検出し、検出信号を主制御装置２１０に出力する。各種入賞口スイッチ１３３は、普通図柄始動ゲート１２２への遊技球の通過等を検出し、検出信号を主制御装置２１０に出力する。
【００８０】
また、パチンコ機１は、制御部として、主に、主制御装置２１０及び演出制御装置１５０を備えている。不正行為防止等のため、主制御装置２１０及び演出制御装置１５０は、それぞれ別々の基板に実装される。また、主制御装置２１０から演出制御装置１５０への一方向にのみデータの送信が可能となっている。
主制御装置２１０は、主として、始動入賞口１１１ａ，１１１ｂへの遊技球の入賞の検出に応じて、各種の乱数を取得する。そして、主制御装置２１０は、取得した各種乱数に基づいて、制御コマンドの送信及び遊技全体の制御を行う。また、主制御装置２１０は、遊技状態表示装置１０７、賞球払出制御装置１５６、大入賞口ソレノイド１５８及び電動チューリップ（図示せず）を直接制御（ポート出力制御）する。
【００８１】
主制御装置２１０は、ＣＰＵ２２０と、ＲＯＭ２３０と、ＲＡＭ２４０と、入力ポート２５０と、出力ポート２５５とを備える。
入力ポート２５０は、第一始動入賞口スイッチ１３１ａ、第二始動入賞口スイッチ１３１ｂ、大入賞口スイッチ１３２及び各種入賞口スイッチ１３３のそれぞれから出力された検出信号をＣＰＵ２２０に出力する。
【００８２】
出力ポート２５５は、演出制御装置１５０、遊技状態表示装置１０７、賞球払出制御装置１５６及び大入賞口ソレノイド１５８のそれぞれに制御コマンドや制御信号を出力する。また、出力ポート２５５は、パチンコ機１の出玉情報や異常信号をホールコンピュータ１０００に出力する。これにより、ホールコンピュータ１０００においてパチンコ機１の遊技状況等を遠隔監視する。
【００８３】
ＲＯＭ２３０には、主制御装置２１０で実行されるパチンコ機１を制御するためのプログラム、遊技制御用のデータ等が記憶されている。遊技制御用のデータには、演出制御装置１５０を制御するための各種制御コマンド等が含まれる。
ＲＡＭ２４０は、主制御装置２１０に対する入出力データ、演算処理のためのデータ、遊技に関連する乱数カウンタを始めとする各種カウンタ、抽選結果や遊技状態を管理するフラグ等を一時的に記憶する。また、ＲＡＭ２４０は、特別図柄用の始動情報記憶領域及び普通図柄用の始動情報記憶領域を有する。
【００８４】
特別図柄用の始動情報記憶領域には、第一始動入賞口１１１ａへの遊技球の入賞を契機として取得される始動情報及び第二始動入賞口１１１ｂへの遊技球の入賞を契機として取得される始動情報が、それぞれ個別に所定上限数（本実施形態では、４つ）まで記憶される。ここで、始動情報とは、始動入賞口１１１ａ，１１１ｂへの遊技球の入賞を契機として取得された各種乱数値等の情報（例えば、当たり決定乱数、当たり種別決定乱数、停止図柄決定乱数、リーチ決定乱数、変動パターン決定乱数等）をいう。主制御装置２１０は、始動情報記憶領域に記憶されている始動情報について、所定の順序（本実施形態では、取得された順序）により当たり判定を行って消化する。また、主制御装置２１０は、始動情報記憶領域に記憶されている始動情報の数を、特別図柄始動情報記憶数表示部１０７ｃに表示する。
【００８５】
また、普通図柄の始動情報記憶領域には、普通図柄始動ゲート１２２への遊技球の通過を契機として取得された乱数等の情報が、所定上限数（本実施形態では、４つ）まで記憶される。
また、ＲＡＭ２４０は、演出制御装置１５０等に出力すべき制御コマンドを一時的に記憶しておくためのコマンド記憶領域を有する。
また、主制御装置２１０には、電源供給を行うための電源回路２１２が接続されている。
【００８６】
演出制御装置１５０は、主制御装置２１０と同様に、ＣＰＵ、ＲＯＭ、ＲＡＭ、入力ポート及び出力ポートを備える。
演出制御装置１５０のＲＯＭには、演出を制御するためのプログラム、各種データ等が記憶されている。演出制御装置１５０のＲＡＭには、主制御装置２１０から入力された制御コマンド、演算処理を行うためのデータ等が一時的に記憶される。演出制御装置１５０のＣＰＵは、ＲＯＭに記憶されたプログラムにしたがって処理を実行することにより、各種演出の制御を行う。
【００８７】
演出制御装置１５０は、演出図柄表示装置１０４における表示を制御する表示制御部１５１と、ランプ１５４の点灯、点滅等を制御するランプ制御部１５２と、スピーカ１５５からの効果音の出力を制御する効果音制御部１５３と、電動役物３００の制御を行う役物制御部１５７と、を備える。演出制御装置１５０は、主制御装置２１０から受信した制御コマンドにしたがって演出制御装置１５０内で送信される制御コマンドを生成し、該制御コマンドを送信することによって、表示制御部１５１、ランプ制御部１５２、効果音制御部１５３及び役物制御部１５７のそれぞれを制御する。
【００８８】
ランプ制御部１５２は、演出制御装置１５０から入力される制御コマンドに応じて、実行すべきランプ演出を決定し、該ランプ演出に対応する制御データをＲＯＭから読み出し、該制御データに基づいてランプ１５４の点灯、点滅等を行う。
効果音制御部１５３は、演出制御装置１５０から入力される制御コマンドに応じて、実行すべき効果音演出を決定し、該効果音演出に対応する音響データをＲＯＭから読み出してスピーカ１５５に出力する。
【００８９】
表示制御部１５１は、ＣＰＵ、ＲＯＭ、ＲＡＭ、画像処理用ＶＤＰ（Ｖｉｄｅｏ  Ｄｉｓｐｌａｙ  Ｐｒｏｃｅｓｓｏｒ）、入力ポート及び出力ポートを備える。そして、表示制御部１５１のＣＰＵは、演出制御装置１５０から入力された制御コマンドに応じて、ＲＯＭに記憶されたプログラムにしたがって、該制御コマンドに応じた画像データをＲＯＭから読み出し、該画像データをＶＤＰに出力する。そして、画像処理用ＶＤＰは、表示制御部１５１のＣＰＵからの出力指示にしたがって、画像データを、出力ポートを介して演出図柄表示装置１０４に出力する。
役物制御部１５７は、演出制御装置１５０から入力される制御コマンドに応じて、電動役物３００の作動パターンを決定し、決定した作動パターンで電動役物１３０を作動させる。
【００９０】
（遊技状態及び当たりの種別について）
パチンコ機１では、遊技状態として、当たり抽選の当選確率が低確率（通常確率）となる「低確率状態」と、当たり抽選の当選確率が低確率状態と比較して高確率（例えば、通常確率の１０倍）となる「確率変動状態」と、が設定されている。また、遊技状態として、特別図柄及び演出図柄の変動時間が短縮する「時短状態」が設定されている。「時短状態」では、普通図柄の抽選確率が通常時の抽選確率と比較して高確率（例えば、１０倍）になると共に、第二始動入賞口１１１ｂの開放時間が通常時の開放時間と比較して延長される。
【００９１】
また、パチンコ機１では、複数の当たりの種別が設定されている。本実施形態では、当たりの種別として、「通常大当たり」、「確変１大当たり」、「確変２大当たり」及び「小当たり」が設定されている。
通常大当たりが生起された場合、１５ラウンドの大入賞口１１５の開放動作が行われ、当たり終了後の遊技状態が低確率状態に設定される。
【００９２】
確変１大当たりが生起された場合、１５ラウンドの大入賞口１１５の開放動作が行われ、当たり終了後の遊技状態が確率変動状態に設定される。
確変２大当たりが生起された場合、２ラウンドの大入賞口１１５の開放動作が行われ、当たり終了後の遊技状態が確率変動状態に設定される。なお、確変２大当たりが生起された場合、各ラウンドにおける大入賞口１１５の開放時間が、通常大当たりと比較して短く（数ｍｓ程度）設定され、ラウンド数も２回しかないため、遊技者に対しては、当たりとならずに確率変動状態に突然移行したかのような意外性を与えることができる。
小当たりが生起された場合、２ラウンドの大入賞口１１５の開放動作が行われ、当たり終了前後で遊技状態が変化しないように設定される。なお、「確変２大当たり」を生起させる際に停止表示させる演出図柄の組み合わせ及び「小当たり」を生起させる際に停止表示させる演出図柄の組み合わせは互いに区別がつかないように設定されている。
【００９３】
（制御コマンドについて）
次に、主制御装置２１０から演出制御装置１５０に出力される演出制御コマンドの構造及び内容を説明する。
演出制御コマンドは、制御コマンドの分類を識別するための識別子で１バイト長のディジタルデータであるモード（ＭＯＤＥ）と、実行される制御コマンドの内容（機能）を示す１バイト長のディジタルデータであるイベント（ＥＶＥＮＴ）とからなる。
【００９４】
演出制御コマンドとしては、図柄指定コマンド、変動パターンコマンド、図柄停止コマンド、事前判定情報コマンド、始動情報記憶数コマンド、演出開始コマンド、状態指定コマンド等がある。
図柄指定コマンドは、演出図柄表示装置１０４において停止表示される演出図柄の組み合わせを指定するコマンドである。図柄指定コマンドは、演出図柄の変動開始時に出力される。ここで、演出図柄の変動開始時は、特別図柄の変動開始時とほぼ一致している。
【００９５】
変動パターンコマンドは、演出図柄表示装置１０４において変動表示する演出図柄の変動パターンを指定するコマンドである。変動パターンコマンドは、図柄指定コマンドと共に、演出図柄の変動開始時に出力される。
図柄停止コマンドは、演出図柄の停止表示を指定するためのコマンドである。図柄停止コマンドは、演出図柄の停止表示時に出力される。ここで、演出図柄の停止表示時は、特別図柄の停止表示時とほぼ一致している。
【００９６】
事前判定情報コマンドは、事前判定情報を通知するためのコマンドである。ここで、事前判定情報とは、始動情報が指定する各種抽選（当たり抽選、当たり種別抽選、リーチ抽選、変動パターン抽選等）の結果を示す情報をいう。主制御装置２１０は、始動情報を取得した際に、該始動情報が指定する各種抽選結果を判定して、判定した各種抽選結果に応じた事前判定情報コマンドを演出制御装置１５０に出力する。例えば、主制御装置２１０は、取得した始動情報について、当たり抽選の結果及び当たり種別抽選の結果（「通常大当たり」、「確変１大当たり」、「確変２大当たり」、「小当たり」、「はずれ」）に応じた事前判定コマンドを演出制御装置１５０に出力する。
【００９７】
演出開始コマンドは、１５Ｒ当たり（通常大当たり、確変１大当たり）の演出開始、確変２大当たりの演出開始及び小当たりの演出開始をそれぞれ指定するためのコマンドである。演出開始コマンドは、当たり開始時に出力される。
状態指定コマンドは、時短の終了及び開始のそれぞれを指定するためのコマンドである。状態指定コマンドは、時短の終了時及び時短の開始時のそれぞれに出力される。
【００９８】
（主制御装置の処理について）
次に、主制御装置２１０で実行される遊技制御処理を説明する。
ＣＰＵ２２０は、所定の動作クロック（例えば、４［ｍｓ］）で１サイクルを実行可能な遊技制御プログラムに基づいて動作し、ＲＯＭ２３０の所定領域に格納されている遊技制御プログラムを起動させ、遊技制御処理を実行する。
具体的に、主制御装置１２０は、始動入賞口スイッチ１３１ａ，１３１ｂから検出信号を入力した場合、当たり決定乱数、当たり種別決定乱数、リーチ決定乱数、変動パターン決定乱数、停止図柄決定乱数等を対応の乱数カウンタから取得し、取得した各乱数値（始動情報）を、ＲＡＭ２４０の始動情報記憶領域における所定の記憶部に記憶する。
【００９９】
また、主制御装置２１０は、始動情報を取得した際に、取得した始動情報の当たり決定乱数及び当たり種別決定乱数に基づいて、当たり抽選の結果及び当たり種別を判定する。そして、主制御装置２１０は、該判定の結果に応じた事前判定情報コマンドを演出制御装置１５０に送信する。
また、主制御装置２１０は、始動情報記憶領域に記憶されている始動情報について、所定の順序により当たり判定処理を実行する。具体的には、主制御装置２１０は、ＲＡＭ２４０の始動情報記憶領域から当たり決定乱数を読み出し、読み出した当たり決定乱数の値が当たり値と一致しているか否かを判定する。
【０１００】
そして、主制御装置２１０は、当たり判定処理で読み出した当たり決定乱数の値が当たり値と一致していると判定した場合は、当たり種別決定乱数の値に基づいて当たり種別を決定する。また、主制御装置２１０は、決定した当たり種別及び停止図柄決定乱数の値に基づいて停止表示する演出図柄の組み合わせを決定し、決定した組み合わせに対応する停止図柄指定コマンドを演出制御装置１５０に送信する。さらに、主制御装置２１０は、決定した当たり種別、リーチ決定乱数及び変動パターン決定乱数に基づいて演出図柄の変動パターンを決定し、決定した変動パターンに対応する変動パターンコマンドを演出制御装置１５０に送信する。
【０１０１】
一方、主制御装置２１０は、当たり判定処理で読み出した当たり決定乱数の値が当たり値と一致していないと判定した場合は、演出図柄をはずれ図柄で停止表示させることを示す停止図柄指定コマンドを演出制御装置１５０に送信する。また、主制御装置２１０は、現在の遊技状態、リーチ決定乱数及び変動パターン決定乱数に基づいて演出図柄の変動パターンを決定し、決定した変動パターンに対応する変動パターンコマンドを演出制御装置１５０に送信する。
【０１０２】
（演出制御装置の処理について）
次に、演出制御装置１５０で実行される処理を説明する。
演出制御装置１５０のＣＰＵは、所定の動作クロック（例えば、２［ｍｓ］）で１サイクルを実行可能な制御プログラムに基づいて動作し、ＲＯＭ２３０の所定領域に格納されている制御プログラムを起動させ、演出制御処理を繰り返し実行する。
【０１０３】
具体的に、演出制御装置１５０は、主制御装置２１０から変動パターンコマンドを受信した場合、受信した変動パターンコマンドに対応する制御コマンド（以下、変動表示制御コマンドとする）を生成し、生成した変動表示制御コマンドを表示制御部１５１に送信する。そして、表示制御部１５１は、変動表示制御コマンドを受信すると、演出図柄表示装置１０４において、変動表示制御コマンドで指定されている変動パターンによる演出図柄の変動表示を開始させる。
【０１０４】
また、演出制御装置１５０は、主制御装置２１０から図柄指定コマンドを受信した場合、受信した図柄指定コマンドに対応する制御コマンド（以下、停止図柄制御コマンドとする）を生成し、生成した停止図柄制御コマンドを表示制御部１５１に送信する。また、演出制御装置１５０は、主制御装置２１０から図柄指定コマンドを受信した場合、後述する当たり予告演出制御処理を実行する。
【０１０５】
また、演出制御装置１５０は、主制御装置２１０から図柄停止コマンドを受信した場合、受信した図柄停止コマンドに対応する制御コマンド（以下、停止制御コマンドとする）を生成し、生成した停止制御コマンドを表示制御部１５１に送信する。そして、表示制御部１５１は、停止制御コマンドを受信すると、演出図柄表示装置１０４において、演出図柄を停止表示させる。この際、表示制御部１５１は、予め受信した停止図柄制御コマンドで指定されている組み合わせで、演出図柄を停止表示させる。
また、演出制御装置１５０は、主制御装置２１０から演出開始コマンドを受信した場合、受信した演出開始コマンドに応じて当たり演出を実行する。
また、演出制御装置１５０は、主制御装置２１０から事前判定コマンドを受信した場合、後述する事前予告演出制御処理を実行する。
【０１０６】
（当たり予告演出制御処理について）
当たり予告演出制御処理は、演出図柄の変動表示に対応させて、当該変動表示に係る始動情報の当たり抽選の結果を示唆する当たり予告演出を実行するための処理である。
当たり予告演出制御処理では、演出制御装置１５０は、図柄指定コマンドを受信した場合、当たり予告演出を実行するか否かを決定するための乱数（以下、当たり予告演出乱数という）を対応の乱数カウンタから取得する。
【０１０７】
本実施形態では、演出制御装置１５０は、受信した図柄指定コマンドが指定する停止図柄の種類に基づいて、当該図柄指定コマンドに係る始動情報（以下、当たり予告抽選対象始動情報とする）の当たり抽選の結果を判定する。そして、演出制御装置１５０は、当たり予告抽選対象始動情報の当たり抽選の結果が、「通常大当たり」、「確変１大当たり」又は「はずれ」である場合に、当たり予告演出乱数を取得する。
【０１０８】
そして、演出制御装置１５０は、取得した当たり予告演出乱数に基づいて当たり予告演出を実行するか否かを決定する。
ここで、演出制御装置１５０のＲＯＭには、当たり予告演出乱数と当たり予告演出当たり値との対応が登録された当たり予告演出抽選用テーブルが格納されている。本実施形態では、当たり予告演出抽選用テーブルとして、当たり予告抽選対象始動情報の当たり抽選の結果（「通常大当たり」、「確変１大当たり」及び「はずれ」）のそれぞれに対応する当たり予告演出抽選用テーブルが設定されている。そして、「当たり」（「通常大当たり」又は「確変１大当たり」）に対応する当たり予告演出抽選用テーブルでは、「はずれ」に対応する当たり予告演出抽選用テーブルと比較して、当たり予告演出当たり値が多く登録されている。
【０１０９】
また、演出制御装置１５０は、当たり予告演出を実行することを決定した場合、取得した当たり予告演出乱数に基づいて実行する当たり予告演出の種類を決定する。
本実施形態では、当たり予告演出の種類として、低信頼度当たり予告演出、中信頼度当たり予告演出、高信頼度当たり予告演出、当たり確定予告演出が設定されている。そして、当たり確定予告演出、高信頼度当たり予告演出、中信頼度当たり予告演出、低信頼度当たり予告演出の順に、当該変動表示に係る始動情報について当たりが生起されることに対する信頼度が高く設定されている。ここで、当該変動表示に係る始動情報について当たりが生起されることに対する信頼度とは、当該変動表示に係る始動情報について当たりとなる場合に当該当たり予告演出が選択される割合を、全体の当該当たり予告演出が選択される割合で除した値である。
【０１１０】
また、演出制御装置１５０のＲＯＭには、当たり予告演出乱数と当たり予告演出の種類との対応が登録された当たり予告演出種類抽選用テーブルが格納されている。本実施形態では、当たり予告演出種類抽選用テーブルとして、当たり予告抽選対象始動情報の当たり抽選の結果（「通常大当たり」、「確変１大当たり」及び「はずれ」）のそれぞれに対応する当たり予告演出種類抽選用テーブルが設定されている。そして、「当たり」（「通常大当たり」又は「確変１大当たり」）に対応する当たり予告演出種類抽選用テーブルでは、「はずれ」に対応する当たり予告演出種類抽選用テーブルと比較して、信頼度の高い当たり予告演出が選択され易くなるように設定されている。なお、当たり確定予告演出は、「当たり」（「通常大当たり」又は「確変１大当たり」）に対応する当たり予告演出種類抽選用テーブルにのみ登録されている。
【０１１１】
そして、演出制御装置１５０は、当たり予告演出の種類を決定すると、決定した当たり予告演出の種類に対応する制御コマンド（以下、当たり予告演出制御コマンドとする）を生成し、生成した当たり予告演出制御コマンドを役物制御部１５７に送信する。そして、役物制御部１５７は、当たり予告演出制御コマンドを受信すると、当たり予告演出制御コマンドで指定されている当たり予告演出の種類に応じて電動役物３００を作動させる。
【０１１２】
本実施形態では、役物制御部１５７は、当たり予告演出制御コマンドを受信すると、演出図柄表示装置１０４における演出図柄の変動表示に対応させて、電動役物３００を作動させる。
例えば、役物制御部１５７は、当たり予告演出制御コマンドが低信頼度当たり予告演出を指定している場合、電動役物３００を、第一形態（図３、図４（ａ）〜（ｃ）、図７参照）から中間形態（図５（ａ）〜（ｃ）、図８参照）に変形させた後、中間形態から第一形態に変形させる。
【０１１３】
また、役物制御部１５７は、当たり予告演出制御コマンドが中信頼度当たり予告演出を指定している場合、電動役物３００を第一形態から中間形態を経て第二形態（図６（ａ）〜（ｃ）、図９参照）に変形させる。そして、役物制御部１５７は、第二形態に変形させた電動役物３００において、全ての発光部３３０の発光手段を「青色」に発光させる。その後、役物制御部１５７は、電動役物３００を第二形態から中間形態を経て第一形態に変形させる。
【０１１４】
また、役物制御部１５７は、当たり予告演出制御コマンドが高信頼度当たり予告演出を指定している場合、電動役物３００を、第一形態から中間形態を経て第二形態に変形させる。そして、役物制御部１５７は、第二形態に変形させた電動役物３００において、全ての発光部３３０の発光手段を「ピンク色」に発光させる。その後、役物制御部１５７は、電動役物３００を第二形態から中間形態を経て第一形態に変形させる。
【０１１５】
さらに、役物制御部１５７は、当たり予告演出制御コマンドが当たり確定予告演出を指定している場合、電動役物３００を第一形態から中間形態を経て第二形態に変形させる。そして、役物制御部１５７は、第二形態に変形させた電動役物３００において、全ての発光部３３０の発光手段を「ピンク色」に発光させた後、「金色」に発光させる。その後、役物制御部１５７は、電動役物３００を第二形態から中間形態を経て第一形態に変形させる。
【０１１６】
このように、パチンコ機１では、電動役物３００の形態によって、当該変動表示に係る始動情報の当たり抽選の結果を示唆する情報を表示する。すなわち、電動役物３００が、各発光部３３０のハート形のモチーフが個別に認識される第一形態から、桜花の形のモチーフを構成する第二形態に変形するか否かによって、現在の演出図柄の変動表示に係る始動情報について当たりが生起される信頼度を表示する。また、パチンコ機１では、桜花のモチーフを構成する第二形態となった電動役物３００の発光状態によって、当該変動表示に係る始動情報の当たり抽選の結果を示唆する情報を表示する。すなわち、桜花のモチーフを構成する第二形態となった電動役物３００の発光色によって、現在の演出図柄の変動表示に係る始動情報について当たりが生起される信頼度を表示する。
【０１１７】
（事前予告演出制御処理について）
事前予告演出制御処理は、ＲＡＭ２４０の始動情報記憶領域に記憶されている始動情報において当たりを示すものが存在することを示唆する演出である事前予告演出を実行するための処理である。
事前予告演出制御処理では、演出制御装置１５０は、事前判定コマンドを受信した場合、事前予告演出を実行するか否かを決定するための乱数（以下、事前予告演出乱数という）を対応の乱数カウンタから取得する。
本実施形態では、演出制御装置１５０は、第一始動情報に基づく事前判定コマンドを受信した場合に、事前予告演出乱数を取得する。また、演出制御装置１５０は、第一始動情報記憶数が２以上の場合に、事前予告演出乱数を取得する。
【０１１８】
そして、演出制御装置１５０は、取得した事前予告演出乱数に基づいて事前予告演出を実行するか否かを決定する。
ここで、演出制御装置１５０のＲＯＭには、事前予告演出乱数と事前予告演出当たり値との対応が登録された事前予告抽選用テーブルが格納されている。本実施形態では、事前予告演出抽選用テーブルとして、当該事前判定コマンドが示す内容（「通常大当たり」、「確変１大当たり」、「確変２大当たり」、「小当たり」及び「はずれ」）のそれぞれに対応する事前予告演出抽選用テーブルが設定されている。そして、「当たり」（「通常大当たり」、「確変１大当たり」、「確変２大当たり」又は「小当たり」）に対応する事前予告演出抽選用テーブルでは、「はずれ」に対応する事前予告演出抽選用テーブルと比較して、事前予告演出当たり値が多く登録されている。
【０１１９】
また、演出制御装置１５０は、事前予告演出を実行することを決定した場合、取得した事前予告演出乱数に基づいて実行する事前予告演出の種類を決定する。
本実施形態では、事前予告演出の種類として、低信頼度事前予告演出、中信頼度事前予告演出、高信頼度事前予告演出が設定されている。そして、高信頼度事前予告演出、中信頼度事前予告演出、低信頼度事前予告演出の順に、始動情報記憶領域に記憶されている始動情報において当たりを生起させることを示すものが存在することに対する信頼度が高く設定されている。ここで、始動情報記憶領域に記憶されている始動情報において当たりを生起させるものが存在することに対する信頼度とは、当該事前判定コマンドに係る始動情報が当たりを生起させる場合に当該事前予告演出が選択される割合を、全体の当該事前予告演出が選択される割合で除した値である。
【０１２０】
また、演出制御装置１５０のＲＯＭには、事前予告演出乱数と事前予告演出の種類との対応が登録された事前予告演出種類抽選用テーブルが格納されている。本実施形態では、事前予告演出種類抽選用テーブルとして、事前判定コマンドが示す内容（「通常大当たり」、「確変１大当たり」、「確変２大当たり」、「小当たり」及び「はずれ」）及び現在の第一始動情報記憶数の組み合わせのそれぞれに対応する事前予告演出種類抽選用テーブルが設定されている。そして、「当たり」（「通常大当たり」、「確変１大当たり」、「確変２大当たり」又は「小当たり」）に対応する事前予告演出種類抽選用テーブルでは、「はずれ」に対応する事前予告演出種類抽選用テーブルと比較して、信頼度の高い事前予告演出が選択され易くなるように設定されている。
【０１２１】
そして、演出制御装置１５０は、事前予告演出の種類を決定すると、ＲＡＭ２４０の始動情報記憶領域に記憶されている第一始動情報のそれぞれに基づく演出図柄の変動表示に対応して、事前予告演出を実行する。
すなわち、演出制御装置１５０は、事前予告演出の種類を決定すると、決定した事前予告演出の種類に対応する制御コマンド（以下、事前予告演出制御コマンドとする）を生成する。そして、演出制御装置１５０は、始動情報記憶領域に記憶されている第一始動情報のそれぞれに係る演出図柄の変動表示を行う際に、生成した事前予告演出制御コマンドを役物制御部１５７に送信する。そして、役物制御部１５７は、事前予告演出制御コマンドを受信すると、事前予告演出制御コマンドで指定されている事前予告演出の種類に応じて電動役物３００を作動させる。
【０１２２】
本実施形態では、役物制御部１５７は、事前予告演出制御コマンドを受信すると、演出図柄表示装置１０４における演出図柄の変動表示に対応させて、電動役物３００を作動させる。
例えば、始動情報記憶領域の４番目の第一始動情報として記憶された第一始動情報に係る事前判定コマンドに基づいて事前予告演出を実行することが決定された場合、該１番目から４番目の第一始動情報のそれぞれに基づく演出図柄の変動表示に対応させて、事前予告演出が実行される。
【０１２３】
この際、役物制御部１５７は、事前予告演出制御コマンドが低信頼度事前予告演出を指定している場合、各第一始動情報に基づく演出図柄の変動表示に対応させて、第一形態の電動役物３００において、２つの発光部３３０の発光手段を「ピンク色」に発光させる。
また、役物制御部１５７は、事前予告演出制御コマンドが中信頼度事前予告演出を指定している場合、各第一始動情報に基づく演出図柄の変動表示に対応させて、第一形態の電動役物３００において、４つの発光部３３０の発光手段を「ピンク色」に発光させる。
【０１２４】
さらに、役物制御部１５７は、事前予告演出制御コマンドが高信頼度事前予告演出を指定している場合、各第一始動情報に基づく演出図柄の変動表示に対応させて、第一形態の電動役物３００において、全ての発光部３３０の発光手段を「ピンク色」に発光させる。
このように、パチンコ機１では、各発光部３３０のハート形のモチーフが個別に認識される第一形態の電動役物３００の発光状態によって、ＲＡＭ２４０の始動情報記憶領域に記憶されている始動情報において当たりを示すものが存在することを示唆する情報を表示する。すなわち、各発光部３３０のハート形のモチーフが個別に認識される第一形態の電動役物３００において発光している発光部３３０の数によって、始動情報記憶領域に記憶されている始動情報において当たりを生起させるものが存在することに対する信頼度を表示する。
【０１２５】
以上説明したように、電動役物３００では、複数の発光部３３０が、遊技盤面１０２における遊技者が視認可能な位置に常時配設される。そして、複数の発光部３３０が、それぞれの第一モチーフを個別に表示する第一形態と、全ての第一モチーフが一体となって第一モチーフとは異なる第二モチーフを表示する第二形態と、を形成する。したがって、電動役物３００では、複数の発光部３３０によって複数のモチーフを表示することができるため、演出効果を向上することが可能となる。
また、電動役物３００では、第一形態を構成している場合と、第二形態を構成している場合とで、互いに異なる種類の遊技に関する演出を実行する。したがって、電動役物３００によれば、複数種類の遊技に関する演出を実行するため、演出効果をさらに向上することが可能となる。
【０１２６】
また、電動役物３００では、可変動力伝達部８２２を備えることによって、単一の駆動源によって複数の構成部（上側第一可動部５１０及び上側第二可動部５２０）のそれぞれを異なるタイミングで駆動することができるため、簡易な構成で演出効果を向上することが可能となる。同様に、電動役物３００では、可変動力伝達部８３２を備えることによって、単一の駆動源によって複数の構成部（下側第一可動部６１０及び下側第二可動部６２０）のそれぞれを異なるタイミングで駆動することができるため、簡易な構成で演出効果を向上することが可能となる。
さらに、パチンコ機１によれば、電動役物３００を備えることによって、遊技に関する演出をさらに多様化することができ、遊技者の興趣の向上を図ることができる。
【０１２７】
（変形例）
以上、本発明の実施形態について説明したが、上記実施形態では、種々の変更を行うことが可能である。
例えば、電動役物３００は、電動役物３００全体を、遊技盤面１０２において水平方向に移動させるような駆動手段９００を備えることが可能である。
図１４は、変形例に係る電動役物を示す正面図である。なお、図１４（ａ）は、移動前の状態の電動役物を示し、図１４（ｂ）は、移動後の電動役物を示す。
図１４に示すように、駆動手段９００は、モータ９１０と、クランク部９２０と、ベース部材４１０に固定された固定軸９３０と、を有している。
クランク部９２０には、貫通孔９２１が設けられている。貫通孔９２１は、所定の長さにより形成されている。また、クランク部９２０には、モータ９１０に設けられたモータギア（図示せず）が噛合されるギア部９２２が設けられている。
【０１２８】
そして、ベース部材４１０に固定された固定軸９３０は、クランク部９２０の貫通孔９２１に挿通される。
これにより、モータ９１０を作動することによって、クランク部９２０を介して、電動役物３００が水平方向に移動される。
具体的には、モータ９１０を作動すると、モータギアを介してクランク部９２０が回転される。そして、クランク部９２０が回転されることによって、貫通孔９２１に挿通された固定軸９３０が、水平方向に移動される。これによって、電動役物３００が水平方向に移動される。
【０１２９】
このような電動役物３００の水平方向への移動動作は、上述した上側可動部５００及び下側可動部６００の動作と別々に、又は、同時に行うことができる。また、電動役物３００の水平方向への移動動作は、演出図柄表示装置１０４における演出図柄の変動表示等の所定の遊技に関する演出に対応させることもできる。
また、電動役物３００は、各種演出（予告演出、当たり生起中の演出、演出図柄の変動表示中の演出等）、遊技状態（低確率状態、確率変動状態、時短状態等）、時短回数、始動情報記憶数、エラーの発生等、様々な遊技に関する情報を表示することが可能である。
【０１３０】
例えば、電動役物３００が、第一形態において通常遊技中であることを表示し、第二形態においてエラーが発生したことを表示する構成としても構わない。
また、パチンコ機１に遊技者が操作可能な外部入力手段（プッシュボタン等）を配設し、電動役物３００が、第一形態における発光状態によって外部入力手段を操作することが可能な期間を表示し、第二形態において外部入力手段が操作されたことに応じて実行される予告演出を表示する構成としても構わない。
【０１３１】
さらに、電動役物３００が、第一形態において、他のランプ１５４と同様に、演出図柄の変動表示に伴う発光演出を行い、第二形態において当たり予告演出を行う構成としても構わない。
また、電動役物３００の形態は、様々な形態を適用することが可能である。
例えば、５つの発光部３３０のそれぞれを、ひし形のモチーフによって構成する。そして、第一形態では、各発光部３３０のひし形のモチーフが個別に認識され、第二形態では、５つの発光部３３０のひし形のモチーフが組み合わされることによって、星形のモチーフを形成する構成としても構わない。
【０１３２】
また、複数の発光部３３０のそれぞれを、所定のキャラクタ（例えば、ロボット等）の構成部分のモチーフによって構成する。そして、第一形態では、各発光部３３０の所定のキャラクタの構成部分のモチーフが個別に認識され、第二形態では、複数の発光部３３０のモチーフが組み合わされることによって、所定のキャラクタのモチーフを形成する構成としても構わない。
なお、上記の実施形態では、パチンコ機である遊技機に本発明を適用した場合について説明した。しかしながら、本発明はこれに限らず、本発明の主旨を逸脱しない範囲で他のアミューズメントゲーム機等の遊技機にも適用可能である。
【符号の説明】
【０１３３】
１  パチンコ機
１０２  遊技盤面
３００  電動役物
４００  固定部
５００  上側可動部
６００  下側可動部
５１０  上側第一可動部
５２０  上側第二可動部
６１０  下側第一可動部
６２０  下側第二可動部
３３０  発光部
４１０  ベース部材
４１２  上側第一回転軸
４１３  下側第一回転軸
４１６  ギア回転軸
４１４  規制孔
４１５  規制孔
５１１  第一アーム部
５１４  回転軸挿通孔
５１５  上側第二回転軸
５２１  第二アーム部
６１１  第一アーム部
６１４  回転軸挿通孔
６１５  上側第二回転軸
６２１  第二アーム部
８００  駆動部
８１０  モータ
８２０  上側動力伝達部
８３０  下側動力伝達部
８１１  駆動軸
８１２  モータギア
８２１  上側中継ギア
８２２  可変動力伝達部
８２３  固定ギア
８２５  外方部材
８２６  内方部材
８２７  回転軸
８２８  ギア
８３１ａ  下側第一中継ギア
８３１ｂ  下側第二中継ギア
８３２  可変動力伝達部
８３３  固定ギア
８３５  外方部材
８３６  内方部材
８３７  回転軸
８３８  ギア
【図１】
0005475410.tif 000002
【図２】
0005475410.tif 000003
【図３】
0005475410.tif 000004
【図４】
0005475410.tif 000005
【図５】
0005475410.tif 000006
【図６】
0005475410.tif 000007
【図７】
0005475410.tif 000008
【図８】
0005475410.tif 000009
【図９】
0005475410.tif 000010
【図１０】
0005475410.tif 000011
【図１１】
0005475410.tif 000012
【図１２】
0005475410.tif 000013
【図１３】
0005475410.tif 000014
【図１４】
0005475410.tif 000015